【手続補正書】
【提出日】平成20年11月20日(2008.11.20)
【手続補正１】
【補正対象書類名】特許請求の範囲
【補正対象項目名】全文
【補正方法】変更
【補正の内容】
【特許請求の範囲】
【請求項１】
携帯端末機からの要求に応じて音楽データ及び該音楽データに合わせて変色を伴って表示される文字データに関する表示情報を配信装置により配信する配信方法において、
携帯端末機から前記配信装置へ音楽データの取得要求があった場合に、前記取得要求のあった音楽データに対応する文字データ及び変色速度を含む表示情報を、前記配信装置から前記携帯端末機へ送信するステップと、
前記携帯端末機の制御部により、前記送信された文字データを画像データへ変換するステップと、
前記音楽データの再生に伴い、前記変換された文字データに基づく画像データを前記制御部により表示部に表示する文字表示ステップと、
前記送信された変色速度に従い、前記表示された文字データに基づく画像データを前記制御部により変色する変色ステップと
を備えることを特徴とする配信方法。
【請求項２】
前記送信ステップは、携帯端末機から音楽データの取得要求があった場合に、前記音楽データに対応する文字データ、変色速度並びに和音部分の変色のための一の色情報及び和音部分以外の変色のための前記一の色情報とは異なる他の色情報を含む表示情報を前記携帯端末機へ送信し、
前記変色ステップは、前記送信された変色速度並びに和音部分の変色のための一の色情報及び和音部分以外の変色のための前記一の色情報とは異なる他の色情報に従い、前記表示された和音部分に係る文字データに基づく画像データを前記一の色情報に基づき変色し、和音部分以外に係る文字データに基づく画像データを前記他の色情報に基づき変色することを特徴とする請求項２に記載の配信方法。
【請求項３】
携帯端末機及び携帯端末機からの要求に応じて音楽データ及び該音楽データに合わせて変色を伴って表示される文字データに関する表示情報を配信する配信装置から構成される配信システムにおいて、
前記配信装置は、携帯端末機から音楽データの取得要求があった場合に、前記音楽データに対応する文字データ及び変色速度を含む表示情報を前記携帯端末機へ送信する送信手段を備え、
前記携帯端末機は、
前記送信された文字データを画像データへ変換する手段と、
前記音楽データの再生に伴い、前記変換された文字データに基づく画像データを表示部に表示する文字表示手段と、
前記送信された変色速度に従い、前記表示された文字データに基づく画像データを変色する変色手段と
を備えることを特徴とする配信システム。
【請求項４】
前記送信手段は、携帯端末機から音楽データの取得要求があった場合に、前記音楽データに対応する文字データ、変色速度並びに和音部分の変色のための一の色情報及び和音部分以外の変色のための前記一の色情報とは異なる他の色情報を含む表示情報を前記携帯端末機へ送信するよう構成してあり、
前記変色手段は、前記送信された変色速度並びに和音部分の変色のための一の色情報及び和音部分以外の変色のための前記一の色情報とは異なる他の色情報に従い、前記表示された和音部分に係る文字データに基づく画像データを前記一の色情報に基づき変色し、和音部分以外に係る文字データに基づく画像データを前記他の色情報に基づき変色するよう構成してあることを特徴とする請求項３に記載の配信システム。
【請求項５】
音楽データに合わせて変色を伴って文字データを表示する携帯端末機において、
制御部により外部へ音楽データに対応する文字データ及び該文字データに関する表示情報の取得を要求する手段と、
前記取得要求に対応して外部から送信された前記音楽データに対応する文字データ及び変色速度を含む表示情報を前記制御部により受信する受信手段と、
前記受信した文字データを前記制御部により画像データへ変換する手段と、
前記音楽データの再生に伴い、前記変換された文字データに基づく画像データを前記制御部により表示部に表示する文字表示手段と、
前記受信した変色速度に従い、前記表示された文字データに基づく画像データを前記制御部により変色する変色手段と
を備えることを特徴とする携帯端末機。
【請求項６】
前記受信手段は、前記取得要求に対応して外部から送信された前記音楽データに対応する文字データ、変色速度並びに和音部分の変色のための一の色情報及び和音部分以外の変色のための前記一の色情報とは異なる他の色情報を含む表示情報を受信するよう構成してあり、
前記変色手段は、前記受信した変色速度並びに和音部分の変色のための一の色情報及び和音部分以外の変色のための前記一の色情報とは異なる他の色情報に従い、前記表示された和音部分に係る文字データに基づく画像データを前記一の色情報に基づき変色し、和音部分以外に係る文字データに基づく画像データを前記他の色情報に基づき変色するよう構成してある
ことを特徴とする請求項５に記載の携帯端末機。
【請求項７】
携帯端末機の表示部に音楽データに合わせて変色を伴って文字データを表示するコンピュータプログラムにおいて、
携帯端末機に、
音楽データに対応する文字データ及び該文字データに関する表示情報の取得要求に対応して外部から送信された前記音楽データに対応する文字データ及び変色速度を含む表示情報を制御部の指示により受信する受信ステップと、
前記受信した文字データを前記制御部により画像データへ変換するステップと、
前記音楽データの再生に伴い、前記変換した文字データに基づく画像データを前記制御部により前記表示部に表示する文字表示ステップと、
前記受信した変色速度に従い、前記表示した文字データに基づく画像データを前記制御部により変色する変色ステップと
を実行させるコンピュータプログラム。
【請求項８】
前記受信ステップは、
前記取得要求に対応して外部から送信された前記音楽データに対応する文字データ、変色速度並びに和音部分の変色のための一の色情報及び和音部分以外の変色のための前記一の色情報とは異なる他の色情報を含む表示情報を受信し、
前記変色ステップは、
前記受信した変色速度並びに和音部分の変色のための一の色情報及び和音部分以外の変色のための前記一の色情報とは異なる他の色情報に従い、前記表示された和音部分に係る文字データに基づく画像データを前記一の色情報に基づき変色し、和音部分以外に係る文字データに基づく画像データを前記他の色情報に基づき変色する
ことを特徴とする請求項７に記載のコンピュータプログラム。
【手続補正２】
【補正対象書類名】明細書
【補正対象項目名】００１３
【補正方法】変更
【補正の内容】
【００１３】
本発明に係る配信方法は、携帯端末機からの要求に応じて音楽データ及び該音楽データに合わせて変色を伴って表示される文字データに関する表示情報を配信装置により配信する配信方法において、携帯端末機から前記配信装置へ音楽データの取得要求があった場合に、前記取得要求のあった音楽データに対応する文字データ及び変色速度を含む表示情報を、前記配信装置から前記携帯端末機へ送信するステップと、前記携帯端末機の制御部により、前記送信された文字データを画像データへ変換するステップと、前記音楽データの再生に伴い、前記変換された文字データに基づく画像データを前記制御部により表示部に表示する文字表示ステップと、前記送信された変色速度に従い、前記表示された文字データに基づく画像データを前記制御部により変色する変色ステップとを備えることを特徴とする。
本発明に係る配信方法は、前記送信ステップは、携帯端末機から音楽データの取得要求があった場合に、前記音楽データに対応する文字データ、変色速度並びに和音部分の変色のための一の色情報及び和音部分以外の変色のための前記一の色情報とは異なる他の色情報を含む表示情報を前記携帯端末機へ送信し、前記変色ステップは、前記送信された変色速度並びに和音部分の変色のための一の色情報及び和音部分以外の変色のための前記一の色情報とは異なる他の色情報に従い、前記表示された和音部分に係る文字データに基づく画像データを前記一の色情報に基づき変色し、和音部分以外に係る文字データに基づく画像データを前記他の色情報に基づき変色することを特徴とする。
【手続補正３】
【補正対象書類名】明細書
【補正対象項目名】００１４
【補正方法】変更
【補正の内容】
【００１４】
本発明に係る配信システムは、携帯端末機及び携帯端末機からの要求に応じて音楽データ及び該音楽データに合わせて変色を伴って表示される文字データに関する表示情報を配信する配信装置から構成される配信システムにおいて、前記配信装置は、携帯端末機から音楽データの取得要求があった場合に、前記音楽データに対応する文字データ及び変色速度を含む表示情報を前記携帯端末機へ送信する送信手段を備え、前記携帯端末機は、前記送信された文字データを画像データへ変換する手段と、前記音楽データの再生に伴い、前記変換された文字データに基づく画像データを表示部に表示する文字表示手段と、前記送信された変色速度に従い、前記表示された文字データに基づく画像データを変色する変色手段とを備えることを特徴とする。
本発明に係る配信システムは、前記送信手段は、携帯端末機から音楽データの取得要求があった場合に、前記音楽データに対応する文字データ、変色速度並びに和音部分の変色のための一の色情報及び和音部分以外の変色のための前記一の色情報とは異なる他の色情報を含む表示情報を前記携帯端末機へ送信するよう構成してあり、前記変色手段は、前記送信された変色速度並びに和音部分の変色のための一の色情報及び和音部分以外の変色のための前記一の色情報とは異なる他の色情報に従い、前記表示された和音部分に係る文字データに基づく画像データを前記一の色情報に基づき変色し、和音部分以外に係る文字データに基づく画像データを前記他の色情報に基づき変色するよう構成してあることを特徴とする。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
本発明に係る携帯端末機は、音楽データに合わせて変色を伴って文字データを表示する携帯端末機において、制御部により外部へ音楽データに対応する文字データ及び該文字データに関する表示情報の取得を要求する手段と、前記取得要求に対応して外部から送信された前記音楽データに対応する文字データ及び変色速度を含む表示情報を前記制御部により受信する受信手段と、前記受信した文字データを前記制御部により画像データへ変換する手段と、前記音楽データの再生に伴い、前記変換された文字データに基づく画像データを前記制御部により表示部に表示する文字表示手段と、前記受信した変色速度に従い、前記表示された文字データに基づく画像データを前記制御部により変色する変色手段とを備えることを特徴とする。
本発明に係る携帯端末機は、前記受信手段は、前記取得要求に対応して外部から送信された前記音楽データに対応する文字データ、変色速度並びに和音部分の変色のための一の色情報及び和音部分以外の変色のための前記一の色情報とは異なる他の色情報を含む表示情報を受信するよう構成してあり、前記変色手段は、前記受信した変色速度並びに和音部分の変色のための一の色情報及び和音部分以外の変色のための前記一の色情報とは異なる他の色情報に従い、前記表示された和音部分に係る文字データに基づく画像データを前記一の色情報に基づき変色し、和音部分以外に係る文字データに基づく画像データを前記他の色情報に基づき変色するよう構成してあることを特徴とする。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】変更
【補正の内容】
【００１９】
本発明に係るコンピュータプログラムは、携帯端末機の表示部に音楽データに合わせて変色を伴って文字データを表示するコンピュータプログラムにおいて、携帯端末機に、音楽データに対応する文字データ及び該文字データに関する表示情報の取得要求に対応して外部から送信された前記音楽データに対応する文字データ及び変色速度を含む表示情報を制御部の指示により受信する受信ステップと、前記受信した文字データを前記制御部により画像データへ変換するステップと、前記音楽データの再生に伴い、前記変換した文字データに基づく画像データを前記制御部により前記表示部に表示する文字表示ステップと、前記受信した変色速度に従い、前記表示した文字データに基づく画像データを前記制御部により変色する変色ステップとを実行させることを特徴とする。
本発明に係るコンピュータプログラムは、前記受信ステップは、前記取得要求に対応して外部から送信された前記音楽データに対応する文字データ、変色速度並びに和音部分の変色のための一の色情報及び和音部分以外の変色のための前記一の色情報とは異なる他の色情報を含む表示情報を受信し、前記変色ステップは、前記受信した変色速度並びに和音部分の変色のための一の色情報及び和音部分以外の変色のための前記一の色情報とは異なる他の色情報に従い、前記表示された和音部分に係る文字データに基づく画像データを前記一の色情報に基づき変色し、和音部分以外に係る文字データに基づく画像データを前記他の色情報に基づき変色することを特徴とする。